(57)【特許請求の範囲】
【請求項１】
第１の原色、第２の原色および第３の原色に関する階調変換特性をそれぞれ定義する第１の１次元ルックアップテーブル、第２の１次元ルックアップテーブルおよび第３の１次元ルックアップテーブルを保持し、前記第１の１次元ルックアップテーブルにしたがって前記第１の原色の原色量を示す第１の１次階調値に対して階調変換を行い、前記第２の１次元ルックアップテーブルにしたがって前記第２の原色の原色量を示す第２の１次階調値に対して階調変換を行い、前記第３の１次元ルックアップテーブルにしたがって前記第３の原色の原色量を示す第３の１次階調値に対して階調変換を行い、前記第１の原色の原色量を示す第１の２次階調値、前記第２の原色の原色量を示す第２の２次階調値および前記第３の原色の原色量を示す第３の２次階調値を得る第１の補正部と、
白に関する階調変換特性を定義する第４の１次元ルックアップテーブル、第５の１次元ルックアップテーブルおよび第６の１次元ルックアップテーブルを保持し、前記第４の１次元ルックアップテーブルにしたがって前記第１の１次階調値に対して階調変換を行い、前記第５の１次元ルックアップテーブルにしたがって前記第２の１次階調値に対して階調変換を行い、前記第６の１次元ルックアップテーブルにしたがって前記第３の１次階調値に対して階調変換を行い、前記第１の原色の原色量を示す第４の２次階調値、前記第２の原色の原色量を示す第５の２次階調値および前記第３の原色の原色量を示す第６の２次階調値を得る第２の補正部と、
前記第１の１次階調値、前記第２の１次階調値および前記第３の１次階調値から、前記第１の２次階調値および前記第４の２次階調値の各々の前記第１の原色の原色量を示す第１の３次階調値への寄与の大きさを第１の寄与の大きさに決定し、前記第２の２次階調値および前記第５の２次階調値の各々の前記第２の原色の原色量を示す第２の３次階調値への寄与の大きさを第２の寄与の大きさに決定し、前記第３の２次階調値および前記第６の２次階調値の各々の前記第３の原色の原色量を示す第３の３次階調値への寄与の大きさを第３の寄与の大きさに決定する決定部と、
前記第１の２次階調値および前記第４の２次階調値の各々の前記第１の３次階調値への寄与の大きさが前記第１の寄与の大きさになるように前記第１の２次階調値および前記第４の２次階調値から前記第１の３次階調値を導出し、前記第２の２次階調値および前記第５の２次階調値の各々の前記第２の３次階調値への寄与の大きさが前記第２の寄与の大きさになるように前記第２の２次階調値および前記第５の２次階調値から前記第２の３次階調値を導出し、前記第３の２次階調値および前記第６の２次階調値の各々の前記第３の３次階調値への寄与の大きさが前記第３の寄与の大きさになるように前記第３の２次階調値および前記第６の２次階調値から前記第３の３次階調値を導出する導出部と、
を備える色補正装置。
【請求項２】
前記決定部は、前記第１の１次階調値、前記第２の１次階調値および前記第３の１次階調値の組により表現される色が白に近くなるほど、前記第１の２次階調値の前記第１の３次階調値への寄与を小さくし、前記第４の２次階調値の前記第１の３次階調値への寄与を大きくし、前記第２の２次階調値の前記第２の３次階調値への寄与を小さくし、前記第５の２次階調値の前記第２の３次階調値への寄与を大きくし、前記第３の２次階調値の前記第３の３次階調値への寄与を小さくし、前記第６の２次階調値の前記第３の３次階調値への寄与を大きくする
請求項１の色補正装置。
【請求項３】
前記決定部は、前記第１の１次階調値、前記第２の１次階調値および前記第３の１次階調値の組により表現される色の白への近さを示す指標を算出し、前記指標により示される近さが近くなるほど、前記第１の２次階調値の前記第１の３次階調値への寄与を小さくし、前記第４の２次階調値の前記第１の３次階調値への寄与を大きくし、前記第２の２次階調値の前記第２の３次階調値への寄与を小さくし、前記第５の２次階調値の前記第２の３次階調値への寄与を大きくし、前記第３の２次階調値の前記第３の３次階調値への寄与を小さくし、前記第６の２次階調値の前記第３の３次階調値への寄与を大きくする
請求項２の色補正装置。
【請求項４】
前記第１の寄与の大きさは、前記第１の２次階調値および前記第４の２次階調値の重みをそれぞれ示す第１の重み係数および第２の重み係数により表現され、
前記第２の寄与の大きさは、前記第２の２次階調値および前記第５の２次階調値の重みをそれぞれ示す第３の重み係数および第４の重み係数により表現され、
前記第３の寄与の大きさは、前記第３の２次階調値および前記第６の２次階調値の重みをそれぞれ示す第５の重み係数および第６の重み係数により表現され、
前記第１の３次階調値は、前記第１の２次階調値および前記第４の２次階調値がそれぞれ前記第１の重み係数および前記第２の重み係数により重み付けされた前記第１の２次階調値と前記第４の２次階調値との重み付け和であり、
前記第２の３次階調値は、前記第２の２次階調値および前記第５の２次階調値がそれぞれ前記第３の重み係数および前記第４の重み係数により重み付けされた前記第２の２次階調値と前記第５の２次階調値との重み付け和であり、
前記第３の３次階調値は、前記第３の２次階調値および前記第６の２次階調値がそれぞれ前記第５の重み係数および前記第６の重み係数により重み付けされた前記第３の２次階調値と前記第６の２次階調値との重み付け和である
請求項１から３までのいずれかの色補正装置。
【請求項５】
前記第１の寄与の大きさは、前記第１の２次階調値および前記第４の２次階調値の重みをそれぞれ示す第１の重み係数および第２の重み係数により表現され、
前記第２の寄与の大きさは、前記第２の２次階調値および前記第５の２次階調値の重みをそれぞれ示す前記第１の重み係数および前記第２の重み係数により表現され、
前記第３の寄与の大きさは、前記第３の２次階調値および前記第６の２次階調値の重みをそれぞれ示す前記第１の重み係数および前記第２の重み係数により表現され、
前記第１の３次階調値は、前記第１の２次階調値および前記第４の２次階調値がそれぞれ前記第１の重み係数および前記第２の重み係数により重み付けされた前記第１の２次階調値と前記第４の２次階調値との重み付け和であり、
前記第２の３次階調値は、前記第２の２次階調値および前記第５の２次階調値がそれぞれ前記第１の重み係数および前記第２の重み係数により重み付けされた前記第２の２次階調値と前記第５の２次階調値との重み付け和であり、
前記第３の３次階調値は、前記第３の２次階調値および前記第６の２次階調値がそれぞれ前記第１の重み係数および前記第２の重み係数により重み付けされた前記第３の２次階調値と前記第６の２次階調値との重み付け和である
請求項１から３までのいずれかの色補正装置。
【請求項６】
前記第１の補正部は、
前記第１の１次元ルックアップテーブルにしたがって前記第１の１次階調値に対して階調変換を行うことにより前記第１の原色の原色量を示す第１の階調変換後の階調値を得、前記第２の１次元ルックアップテーブルにしたがって前記第２の１次階調値に対して階調変換を行うことにより前記第２の原色の原色量を示す第２の階調変換後の階調値を得、前記第３の１次元ルックアップテーブルにしたがって前記第３の１次階調値に対して階調変換を行うことにより前記第３の原色の原色量を示す第３の階調変換後の階調値を得、前記第１の階調変換後の階調値、前記第２の階調変換後の階調値および前記第３の階調変換後の階調値をそれぞれ前記第１の２次階調値、前記第２の２次階調値および前記第３の２次階調値にする階調変換部
を備える
請求項１から５までのいずれかの色補正装置。
【請求項７】
前記第１の補正部は、
前記第１の１次元ルックアップテーブルにしたがって前記第１の１次階調値に対して階調変換を行うことにより前記第１の原色の原色量を示す第１の階調変換後の階調値を得、前記第２の１次元ルックアップテーブルにしたがって前記第２の１次階調値に対して階調変換を行うことにより前記第２の原色の原色量を示す第２の階調変換後の階調値を得、前記第３の１次元ルックアップテーブルにしたがって前記第３の１次階調値に対して階調変換を行うことにより前記第３の原色の原色量を示す第３の階調変換後の階調値を得、第７の１次元ルックアップテーブル、第８の１次元ルックアップテーブル、第９の１次元ルックアップテーブル、第１０の１次元ルックアップテーブル、第１１の１次元ルックアップテーブルおよび第１２の１次元ルックアップテーブルをさらに保持し、前記第７の１次元ルックアップテーブルおよび前記第８の１次元ルックアップテーブルにしたがって前記第１の１次階調値に対して階調変換を行うことによりそれぞれ前記第２の原色の原色量を示す第７の階調変換後の階調値および前記第３の原色の原色量を示す第８の階調変換後の階調値を得、前記第９の１次元ルックアップテーブルおよび前記第１０の１次元ルックアップテーブルにしたがって前記第２の１次階調値に対して階調変換を行うことによりそれぞれ前記第１の原色の原色量を示す第９の階調変換後の階調値および前記第３の原色の原色量を示す第１０の階調変換後の階調値を得、前記第１１の１次元ルックアップテーブルおよび前記第１２の１次元ルックアップテーブルにしたがって前記第３の１次階調値に対して階調変換を行うことによりそれぞれ前記第１の原色の原色量を示す第１１の階調変換後の階調値および前記第２の原色の原色量を示す第１２の階調変換後の階調値を得る階調変換部と、
前記第１の階調変換後の階調値、前記第９の階調変換後の階調値および前記第１１の階調変換後の階調値を足し合わせることにより前記第１の２次階調値を得、前記第２の階調変換後の階調値、前記第７の階調変換後の階調値および前記第１２の階調変換後の階調値を足し合わせることにより前記第２の２次階調値を得、前記第３の階調変換後の階調値、前記第８の階調変換後の階調値および前記第１０の階調変換後の階調値を足し合わせることにより前記第３の２次階調値を得る演算部と、
を備える
請求項１から５までのいずれかの色補正装置。
【請求項８】
複数の画素を備える表示パネルと、
請求項１から７までのいずれかの色補正装置であり、前記複数の画素の各々について、前記第１の１次階調値、前記第２の１次階調値および前記第３の１次階調値が入力され、前記第１の３次階調値、前記第２の３次階調値および前記第３の３次階調値を出力する色補正部と、
前記複数の画素の各々について、前記第１の３次階調値、前記第２の３次階調値および前記第３の３次階調値の組により表現される色を画素に表示させる駆動回路と、
を備える表示装置。
【請求項９】
a) 第１の原色、第２の原色および第３の原色の階調変換特性をそれぞれ定義する第１の１次元ルックアップテーブル、第２の１次元ルックアップテーブルおよび第３の１次元ルックアップテーブルを準備し、前記第１の１次元ルックアップテーブルにしたがって前記第１の原色の原色量を示す第１の１次階調値に対して階調変換を行い、前記第２の１次元ルックアップテーブルにしたがって前記第２の原色の原色量を示す第２の１次階調値に対して階調変換を行い、前記第３の１次元ルックアップテーブルにしたがって前記第３の原色の原色量を示す第３の１次階調値に対して階調変換を行い、前記第１の原色の原色量を示す第１の２次階調値、前記第２の原色の原色量を示す第２の２次階調値および前記第３の原色の原色量を示す第３の２次階調値を得る工程と、
b) 白の階調変換特性を定義する第４の１次元ルックアップテーブル、第５の１次元ルックアップテーブルおよび第６の１次元ルックアップテーブルを準備し、前記第４の１次元ルックアップテーブルにしたがって前記第１の１次階調値に対して階調変換を行い、前記第５の１次元ルックアップテーブルにしたがって前記第２の１次階調値に対して階調変換を行い、前記第６の１次元ルックアップテーブルにしたがって前記第３の１次階調値に対して階調変換を行い、前記第１の原色の原色量を示す第４の２次階調値、前記第２の原色の原色量を示す第５の２次階調値および前記第３の原色の原色量を示す第６の２次階調値を得る工程と、
c) 前記第１の１次階調値、前記第２の１次階調値および前記第３の１次階調値から、前記第１の２次階調値および前記第４の２次階調値の各々の前記第１の原色の原色量を示す第１の３次階調値への寄与の大きさを第１の寄与の大きさに決定し、前記第２の２次階調値および前記第５の２次階調値の各々の前記第２の原色の原色量を示す第２の３次階調値への寄与の大きさを第２の寄与の大きさに決定し、前記第３の２次階調値および前記第６の２次階調値の各々の前記第３の原色の原色量を示す第３の３次階調値への寄与の大きさを第３の寄与の大きさに決定する工程と、
d) 前記第１の２次階調値および前記第４の２次階調値の各々の前記第１の３次階調値への寄与の大きさが前記第１の寄与の大きさになるように前記第１の２次階調値および前記第４の２次階調値から前記第１の３次階調値を導出し、前記第２の２次階調値および前記第５の２次階調値の各々の前記第２の３次階調値への寄与の大きさが前記第２の寄与の大きさになるように前記第２の２次階調値および前記第５の２次階調値から前記第２の３次階調値を導出し、前記第３の２次階調値および前記第６の２次階調値の各々の前記第３の３次階調値への寄与の大きさが前記第３の寄与の大きさになるように前記第３の２次階調値および前記第６の２次階調値から前記第３の３次階調値を導出する工程と、
を備える色補正方法。
【発明の詳細な説明】
【技術分野】
【０００１】
本発明は、色補正装置、表示装置および色補正方法に関する。
【背景技術】
【０００２】
液晶表示装置においては、赤、緑および青等の３個の原色を混合することにより様々な色をつくる加法混色が行われる。このため、液晶表示装置においては、３個の原色量をそれぞれ示す階調値が入力され、入力された３個の階調値に応じた色が表示される。
【０００３】
しかし、入力された３個の階調値の全部または一部が徐々に変化した場合に表示される色が滑らかに変化しないときは、表示される色を観察した観察者は不自然な印象を受ける。白の階調については、この問題が特に顕著になる。
【０００４】
このため、３個の階調値の全部または一部が徐々に変化した場合に表示される色が滑らかに変化するようにするために、入力された原色の原色量を示す階調値と表示される色の原色成分の明るさとの関係を示すγ特性の補正が行われる。
【０００５】
γ特性の補正は、多くの場合、ルックアップテーブルにしたがって行われる。ルックアップテーブルは、階調変換特性を定義し、索引となる複数の入力階調値と複数の入力階調値の各々に対応する出力階調値とを含む。ルックアップテーブルにしたがってγ特性の補正が行われる場合は、ルックアップテーブルにしたがって階調変換前の階調値に対する階調変換が行われる。階調変換においては、階調変換前の階調値に一致する入力階調値に対応する出力階調値が特定され、特定された出力階調値が階調変換後の階調値にされる。
【０００６】
３個の原色の全部に共通する１個のルックアップテーブルが準備され準備された１個のルックアップテーブルにしたがってγ特性の補正が行われる場合は、１個のルックアップテーブルにしたがって３個の階調変換前の階調値の各々に対して階調変換が行われる。この場合は、階調変換後の３個の階調値の比を階調変換前の３個の階調値の比と異ならせることができないため、色の補正を行うことができない。
【０００７】
色の補正を行うことができるようにするために、３個の原色にそれぞれ対応する３個のルックアップテーブルを準備し準備した３個のルックアップテーブルにしたがってγ特性の補正を行うことが提案されている。この場合は、階調変換後の３個の階調値の比を階調変換前の３個の階調値の比と異ならせることができるため、白について色の補正を行うことができる。しかし、液晶表示装置の特性によっては、任意の色について色の補正を適切に行うことができない場合がある。
【０００８】
液晶表示装置の特性によらずに任意の色について色の補正を適切に行うことができるようにするために、３次元ルックアップテーブルにしたがって色の補正を行うことが提案されている。３次元ルックアップテーブルは、索引となる複数の入力階調値の組と、当該複数の入力階調値の組の各々に対する出力階調値の組を含む。３次元ルックアップテーブルにしたがって色の補正が行われる場合は、３次元ルックアップテーブルにしたがって３個の階調値に対する階調変換が行われる。階調変換においては、階調変換前の階調値の組に一致する入力階調値の組に対応する出力階調値の組が特定され、特定された出力階調値の組が階調変換後の階調値の組にされる。特許文献１および２の各々に記載された技術は、その一例である。
【先行技術文献】
【特許文献】
【０００９】
【特許文献１】国際公開第２００９／１０１８０２号
【特許文献２】特開２００２−０１６９３９号公報
【発明の概要】
【発明が解決しようとする課題】
【００１０】
液晶表示装置においては、フレーム画像が、当該フレーム画像を表現する信号が入力された後に直ちに表示されなければならない。このため、色の補正を含む信号の処理は、リアルタイムに行われなければならない。したがって、３次元ルックアップテーブルにしたがって色の補正が行われる場合は、３次元ルックアップテーブルは望ましくはハードウェアに組み込まれる。
【００１１】
しかし、従来の、３次元ルックアップテーブルにしたがって行われる色の補正においては、３個の階調値の各々が８ビットのビット列で表現される場合は、３個の階調値の全部の組み合わせを網羅するためには２５６３×３＝５０，３３１，６４８ビットの補正データが３次元ルックアップテーブルに保持されなければならず、３次元ルックアップテーブルをハードウェアに組み込むために多くのリソースが必要になる。このため、３次元ルックアップテーブルをハードウェアに組み込むことは非現実的である。
【００１２】
３次元ルックアップテーブルにおいて格子点間隔を広げて補正データを減らすことにより必要になるリソースを少なくすることも可能である。しかし、格子点間隔を広げて補正データを減らした場合は、格子点間においてγ特性および色の補正が適切に行われない場合がある。
【００１３】
これらの問題は、液晶表示装置以外において色の補正が行われる場合にも生じる。
【００１４】
本発明は、これらの問題を解決するためになされる。本発明が解決しようとする課題は、少ないリソースで、３個の原色および白の各々についてγ特性の補正を適切に行い、白について色の補正を適切に行い、任意の色について色の補正を適切に行うことである。
【課題を解決するための手段】
【００１５】
本発明は、色補正装置および色補正方法に関する。色補正装置が表示装置に組み込まれてもよい。
【００１６】
第１の１次元ルックアップテーブル、第２の１次元ルックアップテーブルおよび第３の１次元ルックアップテーブルは、それぞれ第１の原色、第２の原色および第３の原色に関する階調変換特性を定義する。
【００１７】
第１の１次元ルックアップテーブル、第２の１次元ルックアップテーブルおよび第３の１次元ルックアップテーブルにしたがって、それぞれ第１の１次階調値、第２の１次階調値および第３の１次階調値に対して階調変換が行われる。第１の２次階調値、第２の２次階調値よび第３の２次階調値が得られる。
【００１８】
第１の１次階調値、第２の１次階調値および第３の１次階調値は、それぞれ第１の原色、第２の原色および第３の原色の原色量を示す。第１の２次階調値、第２の２次階調値よび第３の２次階調値は、それぞれ第１の原色、第２の原色および第３の原色の原色量を示す。
【００１９】
第４の１次元ルックアップテーブル、第５の１次元ルックアップテーブルおよび第６の１次元ルックアップテーブルは、白に関する階調変換特性を定義する。
【００２０】
第４の１次元ルックアップテーブル、第５の１次元ルックアップテーブルおよび第６の１次元ルックアップテーブルにしたがって、それぞれ第１の１次階調値、第２の１次階調値および第３の１次階調値に対して階調変換が行われる。第４の２次階調値、第５の２次階調値よび第６の２次階調値が得られる。
【００２１】
第４の２次階調値、第５の２次階調値よび第６の２次階調値は、それぞれ第１の原色、第２の原色および第３の原色の原色量を示す。
【００２２】
第１の１次階調値、第２の１次階調値および第３の１次階調値から、第１の２次階調値および第４の２次階調値の各々の第１の３次階調値への寄与の大きさが第１の寄与の大きさに決定され、第２の２次階調値および第５の２次階調値の各々の第２の３次階調値への寄与の大きさが第２の寄与の大きさに決定され、第３の２次階調値および第６の２次階調値の各々の第３の３次階調値への寄与の大きさが第３の寄与の大きさに決定される。
【００２３】
第１の３次階調値、第２の３次階調値および第３の階調値は、それぞれ第１の原色、第２の原色および第３の原色の原色量を示す。
【００２４】
第１の２次階調値および第４の２次階調値の各々の第１の３次階調値への寄与の大きさが第１の寄与の大きさになるように第１の２次階調値および第４の２次階調値から第１の３次階調値が導出され、第２の２次階調値および第５の２次階調値の各々の第２の３次階調値への寄与の大きさが第２の寄与の大きさになるように第２の２次階調値および第５の２次階調値から第２の３次階調値が導出され、第３の２次階調値および第６の２次階調値の各々の第３の３次階調値への寄与の大きさが第３の寄与の大きさになるように第３の２次階調値および第６の２次階調値から第３の３次階調値が導出される。
【発明の効果】
【００２５】
本発明によれば、１次元ルックアップテーブルにしたがって３個の原色の各々について補正が行われ、１次元ルックアップテーブルにしたがって白について補正が行われる。また、前者および後者の補正の適用量が補正前の階調値の組により表現される色に応じて変更される。このため、３個の原色および白の各々についてγ特性の補正が適切に行われ、白について色の補正が適切に行われる。加えて、任意の色について、色の補正が適切に行われる。
【００２６】
また、本発明によれば、１次元ルックアップテーブルにしたがってγ特性および色の補正が行われるため、少ないリソースでγ特性および色の補正が行われる。
【図面の簡単な説明】
【００２７】
【図１】実施の形態１の液晶表示装置を示すブロック図である。
【図２】実施の形態１における階調変換の例を示す図である。
【図３】実施の形態１の色補正装置を示すブロック図である。
【図４】実施の形態２の色補正装置を示すブロック図である。
【図５】実施の形態３の色補正装置を示すブロック図である。
【発明を実施するための形態】
【００２８】
１  実施の形態１
１．１  液晶表示装置
図１は、実施の形態１の液晶表示装置を示すブロック図である。
【００２９】
図１に示される液晶表示装置１０００は、入力コネクタ１０２２、タイミングコントローラ１０２４、ゲートドライバ集積回路（ＩＣ）１０２６、ソースドライバＩＣ１０２８および液晶パネル１０３０を備える。タイミングコントローラ１０２４は、信号処理部１０４２を備える。信号処理部１０４２は、色補正部１０６２を備える。液晶パネル１０３０は、複数の画素１０８２を備える。液晶表示装置１０００がこれらの構成物以外の構成物を備えてもよい。
【００３０】
入力信号１１０２は、画像データを含む信号を含む。画像データは、複数の画素１０８２の各々について、階調値Rin,GinおよびBinを含む。
【００３１】
入力信号１１０２は、デジタル電気信号であり、有線伝送され、入力コネクタ１０２２に入力され、入力コネクタ１０２２を経由してタイミングコントローラ１０２４に入力される。入力信号１１０２が無線伝送される入力信号に置き換えられてもよく、入力コネクタ１０２２が無線伝送される入力信号を受信する受信機に置き換えられてもよい。入力信号１１０２がアナログ電気信号である入力信号に置き換えられてもよく、液晶表示装置１０００がアナログ電気信号である入力信号をデジタル電気信号へ変換することにより階調値Rin,GinおよびBinを得るＡ／Ｄ変換器を備えてもよい。
【００３２】
信号処理部１０４２は、複数の画素１０８２の各々を駆動するタイミングを制御するために用いられる信号１１２２を出力する。出力された信号１１２２は、ゲートドライバＩＣ１０２６に入力される。また、信号処理部１０４２は、入力された画像データを含む信号を処理し、複数の画素１０８２の各々に表示させる色を制御するために用いられる信号１１２４を出力する。出力された信号１１２４は、ソースドライバＩＣ１０２８に入力される。
【００３３】
色補正部１０６２は、信号１１２４が生成される場合に、色の補正を行う。色の補正が行われる場合は、複数の画素１０８２の各々について、補正前の階調値Rin,GinおよびBinが色補正部１０６２に入力され、補正後の階調値Rout,GoutおよびBoutが色補正部１０６２から出力される。
【００３４】
ゲートドライバＩＣ１０２６は、信号１１２２に基づいて、複数の画素１０８２の各々に備えられる薄膜トランジスタ（ＴＦＴ）のＯＮ／ＯＦＦを制御するＯＮ／ＯＦＦ信号１１４２をＴＦＴゲートに出力する。
【００３５】
ソースドライバＩＣ１０２８は、信号１１２４に基づいて、複数の画素１０８２の各々に表示される色を制御する色信号１１４４をＴＦＴソースに出力する。色信号１１４４は、ＲＧＢデータを構成する補正後の階調値Rout,GoutおよびBoutを反映する。
【００３６】
ゲートドライバＩＣ１０２６およびソースドライバＩＣ１０２８は、複数の画素１０８２の各々について、補正後の階調値Rout,GoutおよびBoutの組により表現される色を画素に表示させる駆動回路を構成する。当該駆動回路が、当該駆動回路が有する構成とは異なる構成を有する駆動回路に置き換えられてもよい。
【００３７】
液晶パネル１０３０は、表示パネルである。複数の画素１０８２の各々について補正後の階調値Rout,GoutおよびBoutの組により表現される色が画素に表示されることにより、液晶パネル１０３０には画像が表示される。
【００３８】
１．２  階調変換
図２は、実施の形態１における階調変換の例を示す図である。
【００３９】
図２に示される１次元ルックアップテーブル１２０２は、階調変換前の階調値から階調変換後の階調変換への階調変換が行われる場合の階調変換特性を定義し、１、・・・、１５９、１６０、１６１、・・・、２５５という２５６個の入力階調値１２２２を備え、２５６個の入力階調値にそれぞれ対応する１、・・・、１６４、１６９、１７２、・・・、２５５という２５６個の出力階調値１２２４を備える。入力階調値１２２２の各々は、８ビットのビット列で表現される。出力階調値１２２４の各々は、８ビットのビット列で表現される。２５６個の入力階調値１２２２が、各々が７ビット以下または９ビット以上のビット列で表現される複数の入力階調値に置き換えられてもよい。２５６個の出力階調値１２２４が、各々が７ビット以下または９ビット以上のビット列で表現される複数の出力階調値に置き換えられてもよい。
【００４０】
１次元ルックアップテーブル１２０２にしたがって階調変換が行われる場合は、階調変換前の階調値に一致する入力階調値が２５６個の入力階調値１２２２から選択され、選択された入力階調値に対応する出力階調値が階調変換後の階調値にされる。これにより、階調変換前の階調値が階調変換後の階調値に変換される。例えば、階調変換前の階調値が１５９、１６０または１６１である場合は、階調変換後の階調値はそれぞれ１６４、１６９または１７２になる。
【００４１】
１．３  色補正装置
図３は、実施の形態１の色補正装置を示すブロック図である。
【００４２】
図３に示される色補正装置１２９０は、液晶表示装置１０００に組み込まれて色補正部１０６２となり、原色用の補正部１３０２、白用の補正部１３０４、係数算出部１３０６および階調値算出部１３０８を備える。原色用の補正部１３０２は、原色用の階調変換部１３２２を備える。白用の補正部１３０４は、白用の階調変換部１３４２を備える。色補正装置１２９０がこれらの構成物以外の構成物を備えてもよい。
【００４３】
色補正装置１２９０が、液晶表示装置１０００が備える構成と異なる構成を備える液晶表示装置、液晶表示装置以外の表示装置、表示装置以外の装置等に組み込まれてもよい。
【００４４】
入力信号１１０２は、３原色である赤（Ｒ）、緑（Ｇ）および青（Ｂ）の原色量をそれぞれ示す１次階調値Rin,GinおよびBinを含む。１次階調値Rin,GinおよびBinは、補正前の階調値であり、原色用の補正部１３０２、白用の補正部１３０４および係数算出部１３０６の各々に入力される。Ｒ、ＧおよびＢが、Ｒ、ＧおよびＢ以外の３原色に置き換えられてもよい。
【００４５】
原色用の階調変換部１３２２は、１次階調値Rin,GinおよびBinの補正を行うための１次元ルックアップテーブルの集合である、Ｒ、ＧおよびＢに関する階調変換特性をそれぞれ定義する原色用の１次元ルックアップテーブルR_LUT,G_LUTおよびB_LUTを保持する。原色用の１次元ルックアップテーブルR_LUT,G_LUTおよびB_LUTは、それぞれＲ、ＧおよびＢのγ特性を補正するためのものであり、望ましくはハードウェアで実装される。
【００４６】
原色用の階調変換部１３２２は、１次元ルックアップテーブルR_LUTにしたがって１次階調値Rinに対して階調変換を行うことにより階調変換後の階調値R'rを得、１次元ルックアップテーブルG_LUTにしたがって１次階調値Ginに対して階調変換を行うことにより階調変換後の階調値G'gを得、１次元ルックアップテーブルB_LUTにしたがって１次階調値Binに対して階調変換を行うことにより階調変換後の階調値B'bを得る。原色用の階調変換部１３２２から出力される階調変換後の階調値R'r,G'gおよびB'bは、そのまま原色用の補正部１３０２から出力される２次階調値R'r,G'gおよびB'bになる。これにより、原色用の補正部１３０２は、２次階調値R'r,G'gおよびB'bを得る。２次階調値R'r,G'gおよびB'bは、それぞれＲ、ＧおよびＢの原色量を示す。
【００４７】
白用の階調変換部１３４２は、１次階調値Rin,GinおよびBinの補正を行うための１次元ルックアップテーブルの集合である、白（Ｗ）に関する階調変換特性を定義する１次元ルックアップテーブルW_LUT(R),W_LUT(G)およびW_LUT(B)を保持する。ＷはＲ、ＧおよびＢの混色であるため、Ｗに関する階調変換特性はＲ、ＧおよびＢに関する階調変換特性をそれぞれ定義する１次元ルックアップテーブルW_LUT(R),W_LUT(G)およびW_LUT(B)の組により定義される。１次元ルックアップテーブルW_LUT(R),W_LUT(G)およびW_LUT(B)は、Ｗのγ特性および色を補正するためのものであり、望ましくはハードウェアで実装される。
【００４８】
白用の階調変換部１３４２は、１次元ルックアップテーブルW_LUT(R)にしたがって１次階調値Rinに対して階調変換を行うことにより階調変換後の階調値R'wを得、１次元ルックアップテーブルW_LUT(G)にしたがって１次階調値Ginに対して階調変換を行うことにより階調変換後の階調値G'wを得、１次元ルックアップテーブルW_LUT(B)にしたがって１次階調値Binに対して階調変換を行うことにより階調変換後の階調値B'wを得る。白用の階調変換部１３４２から出力される階調変換後の階調値R'w,G'wおよびB'wは、そのまま白用の補正部１３０４から出力される２次階調値R'w,G'wおよびB'wになる。これにより、白用の補正部１３０４は、２次階調値R'w,G'wおよびB'wを得る。２次階調値R'w,G'wおよびB'wは、それぞれＲ、ＧおよびＢの原色量を示す。
【００４９】
係数算出部１３０６は、１次階調値Rin,GinおよびBinから重み係数K_R,K_G,K_B,K_W(R),K_W(G)およびK_W(B)を算出する。重み係数K_R,K_G,K_B,K_W(R),K_W(G)およびK_W(B)は、それぞれ１次元ルックアップテーブルR_LUT,G_LUT,B_LUT,W_LUT(R),W_LUT(G)およびW_LUT(B)に対応する。重み係数K_R,K_G,K_B,K_W(R),K_W(G)およびK_W(B)の各々は、対応する１次元ルックアップテーブルにしたがって行われる階調変換により得られる階調変換後の階調値の重みを示す。したがって、重み係数K_R,K_G,K_B,K_W(R),K_W(G)およびK_W(B)は、それぞれ２次階調値R'r,G'g,B'b,R'w,G'wおよびB'wの重みを示す。
【００５０】
階調値算出部１３０８は、重み係数K_RおよびK_W(R)がそれぞれ２次階調値R'rおよびR'wに乗じられた重み付け和K_R*R'r+K_W(R)*R'wを３次階調値Routにし、重み係数K_GおよびK_W(G)がそれぞれ２次階調値G'gおよびG'wに乗じられた重み付け和K_G*G'g+K_W(G)*G'wを３次階調値Goutにし、重み係数K_BおよびK_W(B)がそれぞれ２次階調値B'bおよびB'wに乗じられた重み付け和K_B*B'b+K_W(B)*B'wを３次階調値Boutにする。出力信号１３６２に含まれる３次階調値Rout,GoutおよびBoutは、補正後の階調値であり、それぞれＲ、ＧおよびＢの原色量を示す。
【００５１】
重み係数K_Rが小さくなるほど２次階調値R'rの３次階調値Routへの寄与が小さくなり、重み係数K_Rが大きくなるほど２次階調値R'rの３次階調値Routへの寄与が大きくなり、重み係数K_W(R)が小さくなるほど２次階調値R'wの３次階調値Routへの寄与が小さくなり、重み係数K_W(R)が大きくなるほど２次階調値R'wの３次階調値Routへの寄与が大きくなる。このため、重み係数K_RおよびK_W(R)は、それぞれ２次階調値R'rおよびR'wの３次階調値Routへの寄与の大きさを表現する。
【００５２】
同様に、重み係数K_GおよびK_W(G)は、それぞれ２次階調値G'gおよびG'wの３次階調値Goutへの寄与の大きさを表現し、重み係数K_BおよびK_W(B)は、それぞれ２次階調値B'bおよびB'wの３次階調値Boutへの寄与の大きさを表現する。
【００５３】
したがって、係数算出部１３０６は、２次階調値R'rおよびR'wの各々の３次階調値Routへの寄与の大きさを重み係数K_RおよびK_W(R)により表現されるものに決定し、２次階調値G'gおよびG'wの各々の３次階調値Goutへの寄与の大きさを重み係数K_GおよびK_W(G)により表現されるものに決定し、２次階調値B'bおよびB'wの各々の３次階調値Boutへの寄与の大きさを重み係数K_BおよびK_W(B)により表現されるものに決定する決定部を構成する。
【００５４】
また、階調値算出部１３０８は、２次階調値R'rおよびR'wの各々の３次階調値Routへの寄与の大きさが重み係数K_RおよびK_W(R)により表現されるものになるように２次階調値R'rおよびR'wから３次階調値Routを導出し、２次階調値G'gおよびG'wの各々の３次階調値Goutへの寄与の大きさが重み係数K_GおよびK_W(G)により表現されるものになるように２次階調値G'gおよびG'wから３次階調値Goutを導出し、２次階調値B'bおよびB'wの各々の３次階調値Boutへの寄与の大きさが重み係数K_BおよびK_W(B)により表現されるものになるように２次階調値B'bおよびB'wから３次階調値Boutを導出する導出部を構成する。
【００５５】
重み係数K_R,K_G,K_B,K_W(R),K_W(G)およびK_W(B)が算出される場合は、１次階調値Rin,GinおよびBinの組により表現される色のＷへの近さを示す指標Kwが式(1)により算出される。
【００５６】
Kw=1-(RGBin_MAX-RGBin_MIN)/RGBin_MAX  (1)
【００５７】
最大値RGBin_MAXは、１次階調値Rin,GinおよびBinの最大値であり、式(2)により算出される。
【００５８】
RGBin_MAX=MAX(Rin,Gin,Bin)  (2)
【００５９】
最小値RGBin_MINは、１次階調値Rin,GinおよびBinの最小値であり、式(3)により算出される。
【００６０】
RGBin_MIN=MIN(Rin,Gin,Bin)  (3)
【００６１】
指標Kwは、１次階調値Rin,GinおよびBinの組により表現される色がＷである場合は、Rin=Gin=Binであるので、１になり、当該色がＲ、ＧまたはＢである場合は、１次階調値Rin,GinおよびBinのうちの２つが０になるので、０になり、当該色が白に近くなるほど大きくなる。このため、指標Kwは、Ｗの重みを示す因子となり、1から指標Kwを減じた指標1-Kwは、Ｒの重み、Ｇの重みおよびＢの重みの合計を示す因子になる。
【００６２】
また、１次階調値Rin,GinおよびBinにより表現される色のＲへの近さを示す指標Krが式(4)により算出され、当該色のＧへの近さを示す指標Kgが式(5)により算出され、当該色のＢへの近さを示す指標Kbが式(6)により算出される。
【００６３】
Kr=(1-Kw)*Rin/(Rin+Gin+Bin)  (4)
Kg=(1-Kw)*Gin/(Rin+Gin+Bin)  (5)
Kb=(1-Kw)*Bin/(Rin+Gin+Bin)  (6)
【００６４】
指標1-Kwは、Ｒの重み、Ｇの重みおよびＢの重みの合計を示す因子であり、Rin/(Rin+Gin+Bin),Gin/(Rin+Gin+Bin)およびBin/(Rin+Gin+Bin)の比率は、Ｒの重み、Ｇの重みおよびＢの重みの比率を示す。したがって、式(4),(5)および(6)によれば、Ｒの重み、Ｇの重みおよびＢの重みの合計がＲ、ＧおよびＢの各原色に各原色の重みに応じて按分される。
【００６５】
さらに、重み係数K_W(R),K_W(G),K_W(B),K_R,K_GおよびK_Bが、それぞれ式(7),(8),(9),(10),(11)および(12)により算出される。
【００６６】
K_W(R)=Kw/(Kr+Kw)  (7)
K_W(G)=Kw/(Kg+Kw)  (8)
K_W(B)=Kw/(Kb+Kw)  (9)
K_R=1-K_W(R)  (10)
K_G=1-K_W(G)  (11)
K_B=1-K_W(B)  (12)
【００６７】
指標KrはＲの重みを示す因子であり、指標KwはＷの重みを示す因子である。このため、指標KrおよびKwの和に占める指標Kwの比率である重み係数K_W(R)は、液晶表示装置１０００の特性の影響を最も受けるＷに対する補正を適用すべき比率を指定する。同様に、重み係数K_W(G)およびK_W(B)の各々も、液晶表示装置１０００の特性の影響を最も受けるＷに対する補正を適用すべき比率を指定する。
【００６８】
式(1)から(12)までは一例であり、重み係数K_W(R),K_W(G),K_W(B),K_R,K_GおよびK_Bが、式(1)から(12)までとは異なる式により算出されてもよい。
【００６９】
重み係数K_W(R),K_W(G),K_W(B),K_R,K_GおよびK_Bの各々は、０以上１以下の値をとる。また、重み係数K_Rと重み係数K_W(R)との和は１になり、重み係数K_Gと重み係数K_W(G)との和は１になり、重み係数K_Bと重み係数K_W(B)との和は１になる。これにより、単純な重み付け和により３次階調値Rout,GoutおよびBoutが得られる。
【００７０】
重み係数K_W(R),K_W(G),K_W(B),K_R,K_GおよびK_Bによれば、１次階調値Rin,GinおよびBinの組により表現される色が白に近くなり指標Kwが大きくなるほど、２次階調値R'rの３次階調値Routへの寄与が小さくなり、２次階調値R'wの３次階調値Routへの寄与が大きくなり、２次階調値G'gの３次階調値Goutへの寄与が小さくなり、２次階調値G'wの３次階調値Goutへの寄与が大きくなり、２次階調値B'bの３次階調値Boutへの寄与が小さくなり、２次階調値B'wの３次階調値Boutへの寄与が大きくなる。
【００７１】
２次階調値R'rおよびR'wの各々の３次階調値Routへの寄与の大きさを示す係数、２次階調値G'gおよびG'wの各々の３次階調値Goutへの寄与の大きさを示す係数、および２次階調値B'bおよびB'wの各々の３次階調値Boutへの寄与の大きさを示す係数は、３次階調値Rout,GoutおよびBoutを導出するための算出式が他の算出式に置き換えられた場合は、当該他の算出式に応じた係数に置き換えられる。
【００７２】
実施の形態１によれば、１次元ルックアップテーブルR_LUT,G_LUTおよびB_LUTにしたがって、それぞれＲ、ＧおよびＢについてγ特性の補正が行われ、１次元ルックアップテーブルW_LUT(R),W_LUT(G)およびW_LUT(B)にしたがって、Ｗについてγ特性および色の補正が行われる。また、前者の補正により得られる階調値R'r,G'gおよびB'ならびに後者の補正により得られる階調値R'w,G'wおよびB'wの各々の補正後の階調値Rout,GoutおよびBoutへの寄与の大きさが補正前の階調値Rin,GinおよびBinの組により表現される色に応じて変更される。このため、Ｒ、Ｇ、ＢおよびＷの各々について適切にγ特性の補正が行われ、Ｗについて色の補正が適切に行われる。加えて、任意の色について、色の補正が適切に行われる。したがって、色補正装置１２９０が組み込まれた液晶表示装置１０００においては、任意の色について液晶パネル１０３０の特性に応じた色の補正が行われる。
【００７３】
また、実施の形態１によれば、１次元ルックアップテーブルR_LUT,G_LUT,B_LUT,W_LUT(R),W_LUT(G)およびW_LUT(B)にしたがってγ特性および色の補正が行われるため、少ないリソースでγ特性および色の補正が行われる。
【００７４】
２  実施の形態２
実施の形態２は、実施の形態１の色補正装置を置き換える色補正装置に関する。
【００７５】
実施の形態１の色補正装置においては、各原色が１個の１次元ルックアップテーブルにしたがって補正されたが、実施の形態２の色補正装置においては、各原色が３個の１次元ルックアップテーブルにしたがって補正される。その目的は、各原色についての色の補正の精度を向上することにある。
【００７６】
図４は、実施の形態２の色補正装置を示すブロック図である。
【００７７】
図４に示される色補正装置２０００は、原色用の補正部２０２２、白用の補正部２０２４、係数算出部２０２６および階調値算出部２０２８を備える。原色用の補正部２０２２は、原色用の階調変換部２０４２および演算部２０４４を備える。白用の補正部２０２４は、白用の階調変換部２０６２を備える。実施の形態２の色補正装置２０００に備えられる白用の補正部２０２４、係数算出部２０２６、階調値算出部２０２８および白用の階調変換部２０６２は、それぞれ実施の形態１の色補正装置１２９０に備えられる白用の補正部１３０４、係数算出部１３０６、階調値算出部１３０８および白用の階調変換部１３４２と同様のものである。このため、以下では、原色用の補正部２０２２、原色用の階調変換部２０４２および演算部２０４４について専ら説明する。
【００７８】
原色用の階調変換部２０４２は、各々がＲに関する階調変換特性を定義する１次元ルックアップテーブルR_LUT(R),R_LUT(G)およびR_LUT(B)、各々がＧに関する階調変換特性を定義する１次元ルックアップテーブルG_LUT(R),G_LUT(G)およびG_LUT(B)、ならびに各々がＢに関する階調変換特性を定義する１次元ルックアップテーブルB_LUT(R),B_LUT(G)およびB_LUT(B)を保持する。原色用の１次元ルックアップテーブルR_LUT(R),R_LUT(G)およびR_LUT(B)は、それぞれ１次階調値Rinに対するＲ、ＧおよびＢの出力を補正するためのものであり、望ましくはハードウェアで実装される。原色用の１次元ルックアップテーブルG_LUT(R),G_LUT(G)およびG_LUT(B)は、それぞれ１次階調値Ginに対するＲ、ＧおよびＢの出力を補正するためのものであり、望ましくはハードウェアで実装される。原色用の１次元ルックアップテーブルB_LUT(R),B_LUT(G)およびB_LUT(B)は、それぞれ１次階調値Binに対するＲ、ＧおよびＢの出力を補正するためのものであり、望ましくはハードウェアで実装される。
【００７９】
原色用の階調変換部２０４２は、１次元ルックアップテーブルR_LUT(R),R_LUT(G)およびR_LUT(B)にしたがって１次階調値Rinに対して階調変換を行うことによりそれぞれ階調変換後の階調値R'r(R),R'r(G)およびR'r(B)を得、１次元ルックアップテーブルG_LUT(R),G_LUT(G)およびG_LUT(B)にしたがって１次階調値Ginに対して階調変換を行うことによりそれぞれ階調変換後の階調値G'g(R),G'g(G)およびG'g(B)を得、１次元ルックアップテーブルB_LUT(R),B_LUT(G)およびB_LUT(B)にしたがって１次階調値Binに対して階調変換を行うことによりそれぞれ階調変換後の階調値B'b(R),B'b(G)およびB'b(B)を得る。階調変換後の階調値R'r(R),G'g(R)およびB'b(R)の各々は、Ｒの原色量を示す。階調変換後の階調値R'r(G),G'g(G)およびB'b(G)の各々は、Gの原色量を示す。階調変換後の階調値R'r(B),G'g(B)およびB'b(B)の各々は、Ｂの原色量を示す。
【００８０】
演算部２０４４は、階調変換後の階調値R'r(R),G'g(R)およびB'b(R)を足し合わせることにより２次階調値R'r=R'r(R)+G'g(R)+B'b(R)を得、階調変換後の階調値R'r(G),G'g(G)およびB'b(G)を足し合わせることにより２次階調値G'g=R'r(G)+G'g(G)+B'b(G)を得、階調変換後の階調値R'r(B),G'g(B)およびB'b(B)を足し合わせることにより２次階調値B'b=R'r(B)+G'g(B)+B'b(B)を得る。階調変換後の階調値R'r,G'gおよびB'bは、原色用の補正部２０２２から出力される。
【００８１】
実施の形態２によれば、実施の形態１と同様に、Ｒ、Ｇ、ＢおよびＷの各々についてγ特性の補正が適切に行われ、Ｗについて色の補正が適切に行われ、任意の色について色の補正が適切に行われる。色補正装置１２９０に代えて色補正装置２０００が液晶表示装置１０００に組み込まれた場合は、任意の色について液晶パネル１０３０の特性に応じた色の補正が行われる。
【００８２】
また、実施の形態２によれば、実施の形態１と同様に、少ないリソースでγ特性および色の補正が行われる。
【００８３】
加えて、実施の形態２によれば、各原色についての色の補正の精度が向上する。
【００８４】
３  実施の形態３
実施の形態３は、実施の形態１の色補正装置を置き換える色補正装置に関する。
【００８５】
実施の形態１の色補正装置においては、１次元ルックアップテーブルR_LUT,G_LUT,B_LUT,W_LUT(R),W_LUT(G)およびW_LUT(B)にそれぞれ対応する重み係数K_R,K_G,K_B,K_W(R),K_W(G)およびK_W(B)が算出され、６個の１次元ルックアップテーブルにしたがって補正が行われたが、実施の形態３の色補正装置においては、１次元ルックアップテーブルR_LUT,G_LUTおよびB_LUTに対応するひとつの共通の重み係数K_RGBが算出され、１次元ルックアップテーブルW_LUT(R),W_LUT(G)およびW_LUT(B)に対応する共通の重み係数K_Wが算出され、６個の１次元ルックアップテーブルにしたがって補正が行われる。その目的は、重み係数を算出するために要する計算量を削減することにある。
【００８６】
図５は、実施の形態３の色補正装置を示すブロック図である。
【００８７】
図５に示される色補正装置３０００は、液晶表示装置１０００に組み込まれて色補正部１０６２となり、原色用の補正部３０２２、白用の補正部３０２４、係数算出部３０２６および階調値算出部３０２８を備える。原色用の補正部３０２２は、原色用の階調変換部３０４２を備える。白用の補正部３０２４は、白用の階調変換部３０６２を備える。色補正装置３０００がこれらの構成物以外の構成物を備えてもよい。実施の形態３の色補正装置３０００に備えられる原色用の補正部３０２２、白用の補正部３０２４、原色用の階調変換部３０４２および白用の階調変換部３０６２は、それぞれ実施の形態１の色補正装置１２９０に備えられる原色用の補正部１３０２、白用の補正部１３０４、原色用の階調変換部１３２２および白用の階調変換部１３４２と同様のものである。このため、以下では、係数算出部３０２６および階調値算出部３０２８について専ら説明する。
【００８８】
色補正装置３０００が、液晶表示装置１０００が備える構成と異なる構成を備える液晶表示装置、液晶表示装置以外の表示装置、表示装置以外の装置等に組み込まれてもよい。
【００８９】
係数算出部３０２６は、１次階調値Rin,GinおよびBinから重み係数K_RGBおよびK_Wを算出する。重み係数K_RGBは１次元ルックアップテーブルR_LUT,G_LUTおよびB_LUTに対応する。重み係数K_Wは、W_LUT(R),W_LUT(G)およびW_LUT(B)に対応する。重み係数K_RGBおよびK_Wは、対応する１次元ルックアップテーブルにしたがって行われる階調変換により得られる階調変換後の階調値の重みを示す。
【００９０】
階調値算出部３０２８は、重み係数K_RGBおよびK_Wがそれぞれ２次階調値R'rおよびR'wに乗じられた重み付け和K_RGB*R'r+K_W*R'wを３次階調値Routにし、重み係数K_RGBおよびK_Wがそれぞれ２次階調値G'gおよびG'wに乗じられた重み付け和K_RGB*G'g+K_W*G'wを３次階調値Goutにし、重み係数K_RGBおよびK_Wがそれぞれ２次階調値B'bおよびB'wに乗じられた重み付け和K_RGB*B'b+K_W*B'wを３次階調値Boutにする。出力信号１３６２に含まれる３次階調値Rout,GoutおよびBoutは、補正後の階調値であり、それぞれＲ、ＧおよびＢの原色量を示す。
【００９１】
重み係数K_RGBが小さくなるほど２次階調値R'rの３次階調値Routへの寄与が小さくなり、重み係数K_RGBが大きくなるほど２次階調値R'rの３次階調値Routへの寄与が大きくなり、重み係数K_Wが小さくなるほど２次階調値R'wの３次階調値Routへの寄与が小さくなり、重み係数K_Wが大きくなるほど２次階調値R'wの３次階調値Routへの寄与が大きくなる。このため、重み係数K_RGBおよびK_Wは、それぞれ２次階調値R'rおよびR'wの３次階調値Routへの寄与の大きさを表現する。
【００９２】
同様に、重み係数K_RGBおよびK_Wは、それぞれ２次階調値G'gおよびG'wの３次階調値Goutへの寄与の大きさを表現し、それぞれ２次階調値B'bおよびB'wの３次階調値Boutへの寄与の大きさを表現する。
【００９３】
したがって、係数算出部３０２６は、２次階調値R'rおよびR'wの各々の３次階調値Routへの寄与の大きさを重み係数K_RGBおよびK_Wにより表現されるものに決定し、２次階調値G'gおよびG'wの各々の３次階調値Goutへの寄与の大きさを重み係数K_RGBおよびK_Wにより表現されるものに決定し、２次階調値B'bおよびB'wの各々の３次階調値Boutへの寄与の大きさを重み係数K_RGBおよびK_Wにより表現されるものに決定する決定部を構成する。
【００９４】
また、階調値算出部３０２８は、２次階調値R'rおよびR'wの各々の３次階調値Routへの寄与の大きさが重み係数K_RGBおよびK_Wにより表現されるものになるように２次階調値R'rおよびR'wから３次階調値Routを導出し、２次階調値G'gおよびG'wの各々の３次階調値Goutへの寄与の大きさが重み係数K_RGBおよびK_Wにより表現されるものになるように２次階調値G'gおよびG'wから３次階調値Goutを導出し、２次階調値B'bおよびB'wの各々の３次階調値Boutへの寄与の大きさが重み係数K_RGBおよびK_Wにより表現されるものになるように２次階調値B'bおよびB'wから３次階調値Boutを導出する導出部を構成する。
【００９５】
重み係数K_RGBおよびK_Wが算出される場合は、１次階調値Rin,GinおよびBinの組により表現される色のＷへの近さを示す指標K_Wが式(13)により算出される。
【００９６】
K_W =(RGBin_MED+RGBin_MIN)/(RGBin_MAX*2)  (13)
【００９７】
中央値RGBin_MEDは、１次階調値Rin,GinおよびBinの中央値であり、式(14)により算出される。
【００９８】
RGBin_MED=MED(Rin,Gin,Bin)  (14)
【００９９】
指標K_Wは、１次階調値Rin,GinおよびBinの組により表現される色がＷである場合は、Rin=Gin=Binであるので、１になり、当該色がＲ、ＧまたはＢである場合は、１次階調値Rin,GinおよびBinのうちの２つが０になるので、０になり、当該色が白に近くなるほど大きくなる。このため、指標K_Wは、Ｗの重みを示す因子となる。
【０１００】
また、１次階調値Rin,GinおよびBinの組により表現される色の単色への近さを示す指標K_RGBが式(15)により算出される。
【０１０１】
K_RGB=1-K_W  (15)
重み係数K_RGBは１から指標K_Wを減じた指標であり、Ｒの重み、Ｇの重みおよびＢの重みの合計を示す因子になる。
【０１０２】
式(13)から(15)までは一例であり、重み係数K_WおよびK_RGBが、式(13)から(15)までとは異なる式により算出されてもよい。例えば、重み係数K_WおよびK_RGBが、式(16)および(17)により算出されてもよい。
【０１０３】
K_W=1-(RGBin_MAX-RGBin_MIN)/RGBin_MAX  (16)
K_RGB=1-K_W  (17)
【０１０４】
実施の形態３によれば、実施の形態１と同様に、Ｒ、Ｇ、ＢおよびＷの各々についてγ特性の補正が適切に行われ、Ｗについて色の補正が適切に行われ、任意の色について色の補正が適切に行われる。
【０１０５】
また、実施の形態３によれば、実施の形態１より更に少ないリソースでγ特性および色の補正が行われる。
【０１０６】
なお、本発明は、その発明の範囲内において、各実施の形態を自由に組み合わせたり、各実施の形態を適宜、変形、省略することが可能である。
【０１０７】
実施の形態１から３までにおいては、本発明の色補正装置を備える表示装置の一例として液晶表示装置が挙げられ実施の形態が説明された。しかし、本発明における色補正は、特定の表示装置において行われる必要はなく、有機エレクトロルミネッセンス（ＥＬ）表示装置、微小電気機械システム（ＭＥＭＳ）ディスプレイ等の各種の表示装置において行われてもよい。
【符号の説明】
【０１０８】
１０００  液晶表示装置、１０６２  色補正部、１２９０，２０００，３０００  色補正装置、１３０２，２０２２，３０２２  原色用の補正部、１３０４，２０２４，３０２４  白用の補正部、１３０６，２０２６，３０２６  係数算出部、１３０８，２０２８，３０２８  階調値算出部、１３２２，２０４２，３０４２  原色用の階調変換部、１３４２，２０６２，３０６２  白用の階調変換部、２０４４  演算部。
【図１】
0006698462.tif 000002
【図２】
0006698462.tif 000003
【図３】
0006698462.tif 000004
【図４】
0006698462.tif 000005
【図５】
0006698462.tif 000006